【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
滅菌剤が封入されたカートリッジから前記滅菌剤を吸い出す吸出し手段と、
前記吸出し手段で吸い出された滅菌剤を濃縮する濃縮炉と、
前記濃縮炉で濃縮された滅菌剤を用いて対象物の滅菌処理を行う滅菌室と、
前記カートリッジを当該滅菌装置から外せないようにロックするロック手段と、
前記カートリッジ内に残る滅菌剤を前記吸出し手段で吸い出した後でないと前記ロック手段によるロック状態を解除できないように前記ロック手段を制御し、さらに、前記ロック手段によるロック状態を解除するために前記吸出し手段で吸い出された滅菌剤は、前記濃縮炉でガス化するように制御する制御手段と、を有することを特徴とする滅菌装置。
【請求項２】
前記濃縮炉でガス化された滅菌剤を分解する分解手段を更に備え、
前記滅菌剤は前記分解手段で分解された後に外部に排出されることを特徴とする請求項１に記載の滅菌装置。
【請求項３】
前記滅菌剤は過酸化水素水であり、前記分解手段により水と酸素に分解されることを特徴とする請求項２に記載の滅菌装置。
【請求項４】
前記分解手段は、前記濃縮炉でガス化された過酸化水素を、触媒を利用して、分解することを特徴とする請求項３に記載の滅菌装置。
【請求項５】
前記カートリッジは、カートリッジの中の滅菌剤に係るデータを記憶した記憶媒体を備えたカートリッジであって、
前記カートリッジが備えた記憶媒体から前記データを読み取る読取手段と、
前記読取手段により読み取られた前記データが、所定の条件を満たすかを判定する判定手段とを更に備え、
前記制御手段段は、前記判定手段により、前記読取手段により読み取られた前記データが、前記所定の条件を満たすと判定された場合に、前記カートリッジ内に残る滅菌剤を前記吸出し手段で吸い出すように制御することを特徴とする請求項１乃至４のいずれか１項に記載の滅菌装置。
【請求項６】
前記データは、前記カートリッジ内に残っている前記滅菌剤の量を含み、
前記判定手段は、前記読取手段により読み取られた、前記カートリッジ内に残っている前記滅菌剤の量が、前記所定の条件として、１回の滅菌処理で用いられる前記滅菌剤の量が前記カートリッジ内に残っているかの条件を満たすかを判定することを特徴とする請求項５に記載の滅菌装置。
【請求項７】
前記データは、前記カートリッジの製造日を含み、
前記判定手段は、前記読取手段により読み取られた前記製造日が、前記所定の条件として、前記カートリッジの製造日から所定時間経過しているかの条件を満たすかを判定することを特徴とする請求項５又は６に記載の滅菌装置。
【請求項８】
前記データは、前記カートリッジの初回使用日を含み、
前記判定手段は、前記読取手段により読み取られた前記初回使用日が、前記所定の条件として、前記カートリッジの初回使用日から所定時間経過しているかの条件を満たすかを判定することを特徴とする請求項５乃至７の何れか１項に記載の滅菌装置。
【請求項９】
滅菌剤が封入されたカートリッジから前記滅菌剤を吸い出す吸出し手段と、前記吸出し手段で吸い出された滅菌剤を濃縮する濃縮炉と、前記濃縮炉で濃縮された滅菌剤を用いて対象物の滅菌処理を行う滅菌室と、前記カートリッジを当該滅菌装置から外せないようにロックするロック手段と、を有する滅菌装置の制御方法であって、
前記カートリッジを前記ロック手段によりロックするロック工程と、
前記カートリッジ内に残る滅菌剤を前記吸出し手段で吸い出した後から前記ロック手段によるロック状態を解除させる解除工程と、
前記解除工程を行うために前記吸出し手段で吸い出された滅菌剤を、前記濃縮炉でガス化させるガス化工程と、を有することを特徴とする制御方法。
【請求項１０】
滅菌剤が封入されたカートリッジから前記滅菌剤を吸い出す吸出し手段と、前記吸出し手段で吸い出された滅菌剤を濃縮する濃縮炉と、前記濃縮炉で濃縮された滅菌剤を用いて対象物の滅菌処理を行う滅菌室と、前記カートリッジを当該滅菌装置から外せないようにロックするロック手段と、を有する滅菌装置を機能させるプログラムであって、
前記滅菌装置を、
前記カートリッジ内に残る滅菌剤を前記吸出し手段で吸い出した後でないと前記ロック手段によるロック状態を解除できないように前記ロック手段を制御し、さらに、前記ロック手段によるロック状態を解除するために前記吸出し手段で吸い出された滅菌剤は、前記濃縮炉でガス化するように制御する制御手段、として機能させることを特徴とするプログラム。
【手続補正２】
【補正対象書類名】明細書
【補正対象項目名】発明の名称
【補正方法】変更
【補正の内容】
【発明の名称】滅菌装置、滅菌装置の制御方法、プログラム
【手続補正３】
【補正対象書類名】明細書
【補正対象項目名】０００１
【補正方法】変更
【補正の内容】
【０００１】
本発明は、滅菌装置、滅菌装置の制御方法、プログラムに関する。特に、滅菌装置から、滅菌剤が残ったカートリッジを取り出すことが出来ないようにすると共に、滅菌剤の廃棄コストを低減させる滅菌装置、滅菌装置の制御方法、プログラムに関する。
【手続補正４】
【補正対象書類名】明細書
【補正対象項目名】０００９
【補正方法】変更
【補正の内容】
【０００９】
また、本発明は、滅菌剤が封入されたカートリッジから前記滅菌剤を吸い出す吸出し手段と、前記吸出し手段で吸い出された滅菌剤を濃縮する濃縮炉と、前記濃縮炉で濃縮された滅菌剤を用いて対象物の滅菌処理を行う滅菌室と、前記カートリッジを当該滅菌装置から外せないようにロックするロック手段と、前記カートリッジ内に残る滅菌剤を前記吸出し手段で吸い出した後でないと前記ロック手段によるロック状態を解除できないように前記ロック手段を制御し、さらに、前記ロック手段によるロック状態を解除するために前記吸出し手段で吸い出された滅菌剤は、前記濃縮炉でガス化するように制御する制御手段と、を有することを特徴とする。
【手続補正５】
【補正対象書類名】明細書
【補正対象項目名】００１０
【補正方法】変更
【補正の内容】
【００１０】
また、本発明は、滅菌剤が封入されたカートリッジから前記滅菌剤を吸い出す吸出し手段と、前記吸出し手段で吸い出された滅菌剤を濃縮する濃縮炉と、前記濃縮炉で濃縮された滅菌剤を用いて対象物の滅菌処理を行う滅菌室と、前記カートリッジを当該滅菌装置から外せないようにロックするロック手段と、を有する滅菌装置の制御方法であって、前記カートリッジを前記ロック手段によりロックするロック工程と、前記カートリッジ内に残る滅菌剤を前記吸出し手段で吸い出した後から前記ロック手段によるロック状態を解除させる解除工程と、前記解除工程を行うために前記吸出し手段で吸い出された滅菌剤を、前記濃縮炉でガス化させるガス化工程と、を有することを特徴とする。
【手続補正６】
【補正対象書類名】明細書
【補正対象項目名】００１１
【補正方法】変更
【補正の内容】
【００１１】
また、本発明は、滅菌剤が封入されたカートリッジから前記滅菌剤を吸い出す吸出し手段と、前記吸出し手段で吸い出された滅菌剤を濃縮する濃縮炉と、前記濃縮炉で濃縮された滅菌剤を用いて対象物の滅菌処理を行う滅菌室と、前記カートリッジを当該滅菌装置から外せないようにロックするロック手段と、を有する滅菌装置を機能させるプログラムであって、前記滅菌装置を、前記カートリッジ内に残る滅菌剤を前記吸出し手段で吸い出した後でないと前記ロック手段によるロック状態を解除できないように前記ロック手段を制御し、さらに、前記ロック手段によるロック状態を解除するために前記吸出し手段で吸い出された滅菌剤は、前記濃縮炉でガス化するように制御する制御手段、として機能させることを特徴とする。